(57)【要約】  台形管状支持フレーム、および、スクリーン布を支持する台形スクリーンフレームを含み、台形フィルタ媒体要素が台形管状支持構造に連結されているディスクフィルタセクタ。さらに詳しくは、１対のかかるフィルタセクタがあり、これらの１対のフィルタセクタは、覆いキャップによって互いに連結されている。【選択図】図８
2018511477.tif 000002
【特許請求の範囲】
【請求項１】
ろ過装置を構築する方法であって、前記ろ過装置は、フィルタ媒体を通して排出された液体を受け入れるために前記フィルタ媒体に設けられた開口部と連通したろ過液コンパートメントを有する支持構造と、各々が覆いキャップによって前記支持構造に取り付けられた端部を有するフィルタ媒体要素と、を含み、前記支持構造は、フィルタ媒体要素端部支持部分を有し、前記各覆いキャップは、フィルタ媒体要素端部覆い部分を有し、前記覆い部分は、該覆い部分の長手方向軸線に沿って間隔を隔てて配置された複数のタブを含み、前記複数のタブの各タブは、前記ディスクフィルタが組み立てられるときに、前記支持部分と垂直に延びる第１のタブ部分と、前記第１のタブ部分に対して角度付けされており、前記覆いキャップの長手方向軸線と平行に延びる第２のタブ部分と、を有し、前記支持部分は、該支持部分の長手方向軸線に沿って間隔を隔てて配置されたタブ受け入れ開口部を有するろ過装置を構築する方法において、該方法は、
前記支持部分上に前記フィルタ媒体要素を配置する段階と、
前記フィルタ媒体要素を覆うように覆い部分を配置し、前記支持部分に設けられたそれぞれの開口部内に各受け入れタブを挿入する段階と、次いで、
前記覆い部分を、前記第２のタブ部分が前記支持部分の下にあり、かくして、フィルタ媒体要素端部が間に捕獲された状態で前記覆いキャップを支持構造１１６上に保持するように、前記支持部分に沿って移動させる段階と、
を含む、方法。
【請求項２】
２つの隣接したフィルタセクタを含むディスクフィルタであって、各フィルタセクタは、管状支持フレーム構造と、前記管状支持フレーム構造の開放領域を覆うフィルタ媒体要素によって支持されたスクリーン布と、前記支持構造、前記フィルタ媒体要素、および、前記２つの隣接したフィルタセクタを互いに連結するための連結手段と、を含み、前記連結手段は、前記隣接したフィルタセクタに取り付けられた覆いキャップを含む、ディスクフィルタ。
【請求項３】
前記管状支持フレーム構造は、台形である、請求項２に記載のディスクフィルタ。
【請求項４】
２つの隣接したフィルタセクタを含むディスクフィルタであって、各フィルタセクタは、フィルタ媒体と、支持構造と、を含み、前記支持構造は、前記フィルタ媒体を通して排出された液体を受け入れるために前記フィルタ媒体に設けられた開口部と連通したろ過液コンパートメントを有し、覆いキャップと、前記覆いキャップによって前記支持構造に取り付け可能な端部を有するフィルタ媒体要素と、をさらに含み、前記支持構造は、フィルタ媒体要素端部支持部分を有し、前記フィルタ媒体は、前記フィルタ媒体要素によって支持されており、前記支持構造、前記フィルタ媒体要素、および、前記２つの隣接したフィルタセクタを互いに連結するための連結手段をさらに含み、前記連結手段は、フィルタ媒体要素端部覆い部分を有する前記覆いキャップであり、前記覆い部分は、該覆い部分の長手方向軸線に沿って間隔を隔てて配置された複数のタブを含み、前記複数のタブの各タブは、前記ディスクフィルタが組み立てられるときに、前記支持部分と垂直に延びる第１のタブ部分と、前記第１のタブ部分に対して角度付けされており、前記覆いキャップの長手方向軸線と平行に延びる第２のタブ部分と、を有し、前記支持部分は、該支持部分の長手方向軸線に沿って間隔を隔てて配置されたタブ受け入れ開口部を有し、前記フィルタ媒体要素端部は、前記支持部分上に配置されており、
前記キャップ覆い部分は、前記フィルタ媒体要素端部を覆うように配置され、各受け入れタブは、前記支持部分に設けられたそれぞれの開口部内に挿入され、前記覆い部分は、前記第２のタブ部分が、前記支持部分の下にあり、かくして、前記フィルタ媒体要素端部が間に捕獲された状態で前記覆いキャップを前記支持構造上に保持するように、前記支持部分に沿って移動される、ディスクフィルタ。
【請求項５】
前記フィルタ媒体要素端部は、複数の間隔を隔てて配置された開口部を有し、前記複数の間隔を隔てて配置された開口部は各々、前記タブのそれぞれのタブを受け入れる、請求項４に記載のディスクフィルタ。
【請求項６】
ディスクフィルタセクタであって、該ディスクフィルタセクタは、管状支持フレーム構造と、前記管状支持フレーム構造の開放領域を覆うフスクリーン布を支持するフィルタ媒体要素と、を含み、前記フィルタ媒体要素は、前記管状支持フレーム構造に連結されている、ディスクフィルタセクタ。
【請求項７】
前記管状支持フレーム構造は、台形である、請求項６に記載のディスクフィルタ。
【発明の詳細な説明】
【技術分野】
【０００１】
本発明は、回転式ろ過装置、さらに詳しくは、ディスクフィルタおよびディスクフィルタセクタに関する。
【背景技術】
【０００２】
ディスクフィルタは、多くの目的のためにパルプおよび紙製造工業で使用されている。例えば、１つの既存のディスクフィルタは、抄紙機白水を処理して高品質ろ過液とし、同時に、繊維を回収するように設計されている。この１つの既存のディスクフィルタはまた、特に、高濃度が必要とされる場合に、低〜中ろ水度を高めるように設計されている。かかるディスクフィルタの一部が、図１に示されている。
【０００３】
各ディスクは、各セクタの間に高濃度化されたパルプの取り上げおよび放出を可能にするスペースを備えた、シャフト内のろ過液チャンネルに接続された代表的には３〜３０個の開放グリッドセクタによって組み立てられている。開放グリッドセクタ設計は、パルプおよび残滓がセクタの内側に蓄積する危険を除去するのを助ける。この設計はまた、開放セクタを通過する噴霧水ジェットによって内側および外側の両方から繊維を洗浄することを可能にする。これによって、布はより長い間清浄に保たれ、効率を向上させる。
【０００４】
予防保全中布交換に必要な時間を最小にするために、ディスクフィルタは、セクタを迅速に分解し、取り付けることを可能にするカセット概念を含む。セクタは、プラットホームからフードドアを通して接近可能である。図１に示されているように、半径方向アームのウェブが、各個々のセクタを受け入れ、支持し、水密状態でセクタを互いに連結する。
【０００５】
フィルタディスクは、時計廻りおよび反時計廻りの両方に回転できるように設計されている。振動ノズルが、ろ過手順が再び始まる前に、フィルタ布を洗浄する。
【０００６】
現在のセクタ設計は、材料の観点および組み立ての観点の両方から、製造が比較的高価である。材料の量、並びに、かかるディスクセクタの製造および修復に必要な組み立て時間の両方を低減することが有利であろう。
【発明の概要】
【０００７】
台形管状支持フレームと、スクリーン布を支持する台形スクリーンフレームと、を含み、台形フィルタ媒体要素が、台形管状支持構造に連結されているディスクフィルタが開示されている。さらに詳しくは、１対のかかるフィルタセクタがあり、１対のかかるフィルタセクタは、覆いキャップによって互いに連結されている。
【０００８】
１対のかかるフィルタセクタを組み立てる方法がまた、開示されている。
【図面の簡単な説明】
【０００９】
【図１】複数の隣接したフィルタセクタを含むディスクフィルタの側面斜視図である。
【図２】本開示による２つの隣接したフィルタセクタの側面斜視図である。
【図３】１つのスクリーンフレームが除去され、隣接したフィルタセクタを互いに取り付けるためのキャップが除去されている、図２のフィルタセクタの側面斜視図である。
【図４】スクリーンフレームの正面斜視図である。
【図５】スクリーンおよびスクリーンフレームの分解図である。
【図６】フィルタセクタ支持構造の底面斜視図である。
【図７】支持構造の部分分解側面図である。
【図８】組み立てられたキャップを備えた２つの隣接したフィルタセクタの一部の部分断面図である。
【図９】フィルタセクタを互いに取り付けるのに使用されるキャップの端面斜視図である。
【図１０】図９のキャップの側面斜視図である。
【発明を実施するための形態】
【００１０】
本開示の１つの実施形態を詳細に説明する前に、本開示は、以下の説明に提示され、図面に示されている構造および構成要素の構成の詳細に適用が限定されないことを理解すべきである。本開示は、他の実施形態が可能であり、種々の仕方で実施することができる。本願で使用されている表現法および用語法は、説明のためのものであり、限定としてみなすべきではないことも理解すべきである。本願で使用されている「含む」、「備える」、および、それらの変形は、以下に掲げる事項およびそれらの均等物、並びに、付加事項を包含することを意味している。本願で使用されている「からなる」およびその変形の使用は、以下に掲げる事項およびそれらの均等物のみを包含することを意味している。さらに、「前方」、「後方」、「左」、「右」、「側部」、「頂部」、および、「底部」等は、便宜の語であり、限定する用語として解釈すべきでないことを理解すべきである。
【００１１】
図１には、少なくとも２つの隣接したフィルタセクタ１０８を含むディスクフィルタ１００が示されている。複数組のかかる隣接したフィルタセクタ１０８が、図１に示されているディスクフィルタと同様なディスクフィルタを構成する。（図１に示されているような）ディスクフィルタ１００の中央シャフト１１２に、フィルタセクタ１０８の底部に設けられた（図３に示されているような）開口部１１３を流体的に接続する（図１に示されているような）セクタ漏斗部分１１０は、図２には示されていない。
【００１２】
各フィルタセクタ１０８は、（図３に示されているような）スクリーン布１２２の形態のフィルタ媒体と、（図６に示されているような）フィルタ媒体支持部分１２０を有する台形管状支持フレーム構造１１６と、スクリーンフレーム１２４の形態の台形フィルタ媒体要素と、支持構造１１６、フィルタ媒体要素１２４、および、２つの隣接したフィルタセクタ１０８を互いに連結するための連結手段と、を含み、該連結手段は、覆いキャップ１７４を含む。他の実施形態（図示せず）では、支持構造１１６は、３個または５個程度の少ない側面またはそれ以上の側面を含んでもよい。他の形状の支持構造が使用されるときには、フィルタ媒体要素もまた、フィルタ要素が支持構造の開放領域を覆うように形状決めされるようになる。
【００１３】
さらに詳しくは、覆いキャップは、フィルタ媒体要素端部覆い部分１３３を有し、端部覆い部分１３３は、端部覆い部分１３３の長手方向軸線に沿って間隔を隔てて配置された複数のタブ１８１（図９および図１０参照）を含む。各タブ１８１は、ディスクフィルタが組み立てられるときに、支持部分１２０と実質的に垂直に延びる第１のタブ部分１８３と、第１のタブ部分１８３に対して角度付けされ、キャップ１７４の長手方向軸線と平行に延びる第２のタブ部分１８５と、を有する。さらに、支持部分１２０は、支持構造１１６の２つの側面上で支持構造１１６の長手方向軸線に沿って間隔を隔てて配置されたタブ受け入れ開口部１２８を有し、フィルタ媒体要素端部１４０が支持部分１２０上に配置されている。
【００１４】
さらに詳しくは、図７に示されているように、支持構造１１６は、溶接、ねじ、或いは他の手段（図示せず）によって互いに連結された４つの中空管１３２から形成されている。底部管１３２’は、該底部管１３２’を通して延びる流体出口開口部１１３を有する。支持構造１１６は、フィルタ媒体またはスクリーンを通して排出される液体を受け入れるためにフィルタ媒体またはスクリーンに設けられた開口部と連通するろ過液コンパートメント１３６を有する。台形フィルタ媒体要素１２４はまた、以下でさらに説明するように、覆いキャップ１７４によって支持構造支持部分１２０に取り付け可能な端部１４０を有する。図示されている実施形態では、支持構造は、フィルタ媒体に設けられた開口部と連通する開放したろ過液コンパートメント１３６を備えた開放多面体被内包構造を構成しているけれども、他の実施形態（図示せず）では、１つまたはそれ以上のスラットが、フィルタスクリーンのための更なる支持構造を提供するために、開口部を横切って、構造の隣接した側部から側部まで、或いは、両対向側部の間で延びている。他の実施形態ではまた、真空がスクリーン上に引かれる結果として存在する内向きの圧力に対してフィルタスクリーンを支持するためのグリッド構造が、開放したろ過液コンパートメントに配置されるのがよい。
【００１５】
図４および図５は、フィルタ媒体要素またはスクリーンフレーム１２４を示している。図２および図３に示されているように、スクリーンフレーム１２４は、スクリーンフレーム１２４をねじ或いは他の手段（図示せず）によってスクリーンフレーム支持構造１１６に取り付けるための上側直角フランジ１４４を含む。フィルタ媒体またはスクリーン１２２は、フィルタ媒体要素１２４によってその外側縁部のすべての上で支持されている。各縁部上には、細長い前部ピース１４８および細長い後部ピース１５２があり、細長い前部ピース１４８および細長い後部ピース１５２のすべては、スクリーンフレーム１２４を形成するために、例えば、ねじ（図示せず）によって互いに連結されている。
【００１６】
要素１２４の端部１４０を形成するフィルタ媒体前部ピース１４８は、複数の間隔を隔てて配置された開口部１５６を有し、開口部１５６の各々は、以下でさらに説明するように、複数の間隔を隔てて配置されたキャップタブ１８１の対応する１つを受け入れる。
【００１７】
図６および図７は、フィルタセクタ支持構造またはフレーム１１６を示している。支持構造１１６の支持部分１２０は、支持部分１２０の長手方向軸線に沿って間隔を隔てて配置された複数のタブ受け入れ開口部１２８（図６参照）を有し、開口部１２８は、キャップタブ１８１およびフィルタ媒体要素１２４の開口部１５６の位置に対応している。
【００１８】
図９および図１０は、セクタを互いに取り付けるのに使用されるキャップ１７４を示している。組み立てられたキャップ１７４を備える２つの隣接したフィルタセクタ１０８の一部の部分断面図である図８に示されているように、各キャップ１７４は、両側に延びる第１および第２のカバー要素縁部覆い部分１７７および１７９を有する。各カバー要素縁部覆い部分は、該覆い部分の長手方向軸線に沿って間隔を隔てて配置された複数のタブ１８１を有する。さらに詳しくは、キャップ１７４は、第１のピース１９１から形成されており、覆い部分は、そのそれぞれのカバー要素端部を覆って保持している。キャップ１７４はまた、第２のＵ字形ピース１９３から形成されており、間隔を隔てて配置された複数のタブ１８１は、第２のＵ字形ピース１９３の側壁から垂下しており、第２のＵ字形ピース１９３は、例えば、溶接、糊付け、或いは他の手段によって、第１のピース１９１に取り付けられている。他のより少なく好ましい実施形態では、キャップは、単一のピース（図示せず）から形成されていてもよい。各キャップタブ１８１は、隣接したフィルタセクタが組み立てられるときに、それぞれの支持部分と垂直に延びる第１のタブ部分１８３、および、第１のタブ部分１８３に対して角度付けされ、キャップの長手方向軸線と平行に延びる第２のタブ部分１８５を有する。
【００１９】
図示された実施形態では、キャップ１７４は、２つの隣接したフィルタセクタ１０８の縁部を覆って延びている。他の実施形態（図示せず）では、１つのキャップが、単一のフィルタセクタの１つの縁部だけを取り付けてもよい。この例では、開示されたキャップは、図示された１部品構造とは対照的に、各ピースがタブ１８１を備える２つの並置ピースから作られることになろう。フィルタセクタは、支持部分１２０上にフィルタ媒体要素端部１４０を配置し、覆い部分を、フィルタ媒体要素端部１４０を覆うように配置し、各タブ１８１を、フィルタ媒体要素端部１４０に設けられたそれぞれの開口部１５６および支持部分１２０に設けられたそれぞれの開口部１２８内に挿入し、次いで、キャップ１７４を、第２のタブ部分１８５が支持部分１２０の下にあり、かくして、フィルタ媒体要素端部が間に捕獲された状態でキャップ１７４を支持構造１１６上に保持するように、支持部分１２０に沿って移動させることによって、組み立てられる。
【００２０】
組立体が、支持部分に沿って覆い部分を移動させるときに、第２のタブ部分は、支持部分に係合し、タブ受け入れ開口部を通して第１のタブ部分を引き、それにより、覆い部分は要素端部により密着されるように引かれる。次いで、第２のタブ部分は、支持部分の下にあり、かくして、フィルタ媒体要素端部がキャップの覆い部分と支持部分の間に捕獲された状態でキャップ１７４を支持構造１１６上に保持する。
【００２１】
他の実施形態（図示せず）では、フィルタ媒体要素開口部を使用する必要がない。代わりに、タブは、フィルタ媒体端部がキャップの覆い部分と支持部分の間に捕獲された状態で、フィルタ媒体要素端部を越えて延びるのがよい。
【００２２】
さらに詳しくは、組み立てのために、２つの要素の隣接した端部は、支持構造を覆うように配置され、支持構造は、隣接したフィルタセクタの２つの共面支持部分を有し、反対方向に延び、各支持部分は、隣接した要素端部のそれぞれの要素端部を支持する。そして、キャップは、２つの共面覆い部分を有し、２つの共面覆い部分の各々は、それぞれの要素端部を覆うように配置される。覆い部分の各々は、要素端部に向かって、要素端部を保持する支持部分に対して角度をなして延びる。かくして、２つの隣接したフィルタ媒体要素の両端部は、１つのキャップの組み立てにより所定位置に係止される。次いで、組み立てを完成するために、キャップは、例えば、ねじ（図示せず）、或いは、キャップを、下に横たわる支持構造に締結するための他の手段によって、所定位置に係止される。
【００２３】
産業上の利用可能性
次いで、そのように組み立てられたディスクフィルタは、在来のディスクフィルタ構造に対して多くの利点を有する。フィルタセクタ要素端部は、もはや支持部分に溶接される必要がない。これにより、フィルタセクタの費用は低減される。
【００２４】
加えて、開示されたフィルタセクタは、熟練された組み立て者によって組み立てられる必要がない。今や、本開示による隣接したフィルタセクタにより、組み立て者は、キャップタブをタブ開口部の内側に配置し、次いで、支持構造に沿ってキャップをスライドさせるだけでよい。これによって、組み立て工程は一層簡単化される。
【００２５】
さらに今や、本開示によるディスクフィルタでは、業界でフィルタセクタを交換することがより便利になる。１つのフィルタセクタをその隣接したフィルタセクタから取り外すことは、より簡単な工程である。
【００２６】
この開示の他の種々の特徴は、以下の特許請求の範囲に記載されている。
【図１】
2018511477.tif 000003
【図２】
2018511477.tif 000004
【図３】
2018511477.tif 000005
【図４】
2018511477.tif 000006
【図５】
2018511477.tif 000007
【図６】
2018511477.tif 000008
【図７】
2018511477.tif 000009
【図８】
2018511477.tif 000010
【図９】
2018511477.tif 000011
【図１０】
2018511477.tif 000012
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
共面ディスクフィルタであって、前記ディスクフィルタは、側部で互いに隣接し、該ディスクフィルタと共面である２つのフィルタセクタを含み、各フィルタセクタは、該フィルタセクタの隣接した側部の少なくとも１つを形成する管状支持フレーム構造と、前記管状支持フレーム構造の開放領域を覆うフィルタ媒体要素によって支持されたスクリーン布と、前記支持構造、前記フィルタ媒体要素、および、前記２つの隣接したフィルタセクタを互いに連結するための連結手段と、を含み、前記連結手段は、前記隣接したフィルタセクタの隣接した側部に沿って延びており、前記隣接したフィルタセクタの隣接した側部に取り付けられた覆いキャップを含む、ディスクフィルタ。
【請求項２】
前記管状支持フレーム構造は、台形である、請求項１に記載のディスクフィルタ。
【請求項３】
共面ディスクフィルタであって、前記ディスクフィルタは、側部で互いに隣接し、該ディスクフィルタと共面である２つのフィルタセクタを含み、各フィルタセクタは、フィルタ媒体と、支持構造と、を含み、前記支持構造は、前記フィルタ媒体を通して排出された液体を受け入れるために前記フィルタ媒体に設けられた開口部と連通したろ過液コンパートメントを有し、長手方向軸線を有する覆いキャップと、前記覆いキャップによって前記支持構造に取り付け可能な端部を有するフィルタ媒体要素と、をさらに含み、前記支持構造は、フィルタ媒体要素端部支持部分を有し、各フィルタセクタのフィルタ媒体要素端部支持部分の少なくとも１つは、フィルタセクタの隣接した側部の１つを構成しており、前記フィルタ媒体は、前記フィルタ媒体要素によって支持されており、前記支持構造、前記フィルタ媒体要素、および、前記フィルタセクタの２つの隣接した側部を互いに連結するための連結手段をさらに含み、前記連結手段は、２つのフィルタ媒体要素端部覆い部分を有する前記覆いキャップであり、前記２つのフィルタ媒体要素端部覆い部分の各々は、該フィルタ媒体要素端部覆い部分の長手方向軸線に沿って間隔を隔てて配置された複数のタブを含み、各タブは、前記ディスクフィルタが組み立てられるときに、前記支持部分と垂直に延びる第１のタブ部分と、前記第１のタブ部分に対して角度付けされており、前記覆いキャップの長手方向軸線と平行に延びる第２のタブ部分と、を有し、前記フィルタ媒体要素端部支持部分は、該支持部分の長手方向軸線に沿って間隔を隔てて配置されたタブ受け入れ開口部を有し、前記フィルタ媒体要素端部は、前記支持部分上に配置されており、前記フィルタ媒体端部覆い部分は、前記フィルタ媒体要素端部を覆うように配置され、各受け入れタブは、前記支持部分に設けられたそれぞれの開口部内に挿入され、前記フィルタ媒体端部覆い部分は、前記第２のタブ部分が、前記支持部分の下にあり、かくして、前記フィルタ媒体要素端部が間に捕獲された状態で前記覆いキャップを前記支持構造上に保持するように、前記支持部分に沿って移動される、ディスクフィルタ。
【請求項４】
前記フィルタ媒体要素端部は、複数の間隔を隔てて配置された開口部を有し、前記複数の間隔を隔てて配置された開口部は各々、前記タブのそれぞれの１つのタブを受け入れる、請求項３に記載のディスクフィルタ。
【請求項５】
ディスクフィルタセクタであって、該ディスクフィルタセクタは、管状支持フレーム構造と、前記管状支持フレーム構造の開放領域を覆うフスクリーン布を支持するフィルタ媒体要素と、を含み、前記フィルタ媒体要素は、前記管状支持フレーム構造に連結されている、ディスクフィルタセクタ。
【請求項６】
前記管状支持フレーム構造は、台形である、請求項５に記載のディスクフィルタセクタ。
【国際調査報告】
2018511477.tif 000013